(57)【要約】【課題】ＬＥＤ照明装置において、照明用の光源が周囲を照らすと同時に、その照明方向とは異なる方向に文字、図形または記号等の模様を表示するようにすること。【解決手段】複数の照明用LEDを装備した照明用基板１１と、この複数の照明用LEDの点灯パターンを記憶した記憶手段と、当該点灯パターンを点灯するように前記複数の照明用LEDの点灯を制御する制御手段とを備え、  前記照明用基板の基板面に対し斜めから前記点灯パターンを見たときに、当該点灯パターンが文字、図形または記号等の模様として見えるように、前記照明用基板上における前記複数の照明用LEDの配置および前記点灯パターンを最適化した、ＬＥＤ照明装置。【選択図】図４
2012018850.tif 000002
【特許請求の範囲】
【請求項１】
複数の照明用LEDを装備した照明用基板と、この複数の照明用LEDの点灯パターンを記憶した記憶手段と、当該点灯パターンを点灯するように前記複数の照明用LEDの点灯を制御する制御手段とを備え、
前記照明用基板の基板面に対し斜めから前記点灯パターンを見たときに、当該点灯パターンが文字、図形または記号等の模様として見えるように、前記照明用基板上における前記複数の照明用LEDの配置および前記点灯パターンを最適化した、ＬＥＤ照明装置。
【請求項２】
複数の照明用LEDを装備した照明用基板と、この複数の照明用LEDの点灯パターンを記憶した記憶手段と、当該点灯パターンを点灯するように前記複数の照明用LEDの点灯を制御する制御手段とを備え、
前記照明用ＬＥＤによる照射方向に対し斜めから前記点灯パターンを見たときに、当該点灯パターンが文字、図形または記号等の模様として見えるように、前記照明用基板上における前記複数の照明用LEDの配置および前記点灯パターンを最適化した、ＬＥＤ照明装置。
【請求項３】
複数の照明用LEDを装備した照明用基板と、この複数の照明用LEDの点灯パターンを記憶した記憶手段と、当該点灯パターンを点灯するように前記複数の照明用LEDの点灯を制御する制御手段とを備え、
前記照明用ＬＥＤによる照度が最も強い方向に対し斜めから前記点灯パターンを見たときに、当該点灯パターンが文字、図形または記号等の模様として見えるように、前記照明用基板上における前記複数の照明用LEDの配置および前記点灯パターンを最適化した、ＬＥＤ照明装置。
【発明の詳細な説明】
【技術分野】
【０００１】
本発明は、ＬＥＤ（Light Emitting Diode／発光ダイオード）照明装置に関する。
【背景技術】
【０００２】
複数のＬＥＤを照明用光源として用いたＬＥＤ照明装置が知られている（例えば、特許文献１）。
【先行技術文献】
【特許文献】
【０００３】
【特許文献１】特開２０１０−１２９２０２号公報
【発明の概要】
【発明が解決しようとする課題】
【０００４】
しかし、従来のＬＥＤ照明装置において、照明用の光源は周囲を照らす機能を持つにとどまり、その照明用の光源自身が同時に情報を表示することはなかった。
【０００５】
本発明は、ＬＥＤ照明装置において、照明用の光源が周囲を照らすと同時に、その照明方向とは異なる方向に文字、図形または記号等の模様を表示するようにすることを課題とする。
【課題を解決するための手段】
【０００６】
この課題を解決するため、本発明は、複数の照明用LEDを装備した照明用基板を備え、さらに、複数の照明用LEDの点灯パターンを記憶した記憶手段と、点灯パターンを点灯するように複数の照明用LEDの点灯を制御する制御手段とを備える。そして、照明用基板の基板面に対し斜めから点灯パターンを見たときに、当該点灯パターンが文字、図形または記号等の模様として見えるように、照明用基板上における複数の照明用LEDの配置および前記点灯パターンを最適化する。
【０００７】
ここで、上記「照明用基板の基板面に対し斜めから」という表現は、「照明用ＬＥＤによる照射方向に対し斜めから」、「照明用ＬＥＤによる照明方向に対し斜めから」または「照明用ＬＥＤによる照度が最も強い方向に対し斜めから」と表現してもよい。
【発明の効果】
【０００８】
本発明によると、点灯した照明用ＬＥＤにより周囲の照明が行われると共に、その照射方向に対する斜めからの視線に対しては同じＬＥＤによる点灯パターンが文字、図形または記号等の模様を表示する。
【図面の簡単な説明】
【０００９】
【図１】図１は、本発明の一実施形態であるＬＥＤ照明装置のブロック構成図である。
【図２】図２は、図１に示したＬＥＤ照明の正面図、底面図および右側面図を示す。
【図３】図３は、点灯パターンの一例を示す状態図である。
【図４】図４は、点灯パターンを照射方向に対し斜めの視点から見た状態を示す状態図である。
【発明を実施するための形態】
【００１０】
以下、本発明の一実施形態を説明する。図１に示すように、本実施形態によるＬＥＤ照明装置は、ＬＥＤ照明１０と、ＬＥＤ照明１０を駆動制御する駆動制御部２０と、ＬＥＤ照明の点灯パターンを記憶した点灯パターン記憶部３０と、点灯パターンの選択指示等を駆動制御部２０に対して行う設定部４０とを備えている。
【００１１】
ＬＥＤ照明１０は、複数の照明用ＬＥＤを照明用基板に装備した構成となっており、その構成は後ほど述べる。駆動制御部２０は、点灯パターン記憶部３０に記憶された点灯パターンに応じて複数の照明用ＬＥＤに同時に電圧を印加して視覚的なパターンを点灯させる。また、駆動制御部２０は、点灯パターンを経時的に変化させる機能を備えている。点灯パターン記憶部３０は、その点灯パターンを複数記憶しているメモリである。設定部４０は、駆動制御部２０に点灯パターンの選択指示を入力するスイッチを備えている。
【００１２】
図２は、ＬＥＤ照明１０の構成図であり、正面図と右側面図と底面図とを示している。照明用基板１１には、複数の照明用ＬＥＤ１２が実装されている。照明用ＬＥＤ１２の配置は任意であるが、本実施形態では一例として図２に示すような縦と横の規則的な配列により複数の照明用ＬＥＤ１２を配置している。
【００１３】
図３は、図２のＬＥＤ照明において、所定の点灯パターンを点灯させた状態を示している。黒塗りの矩形１２ｏｎは点灯状態の照明用ＬＥＤを示し、白抜きの矩形１２ｏｆｆは消灯状態の照明用ＬＥＤを示している。駆動制御部２０は、このように、予め記憶された点灯パターンに応じて照明用ＬＥＤを選択的に点灯させる。これにより、照明用ＬＥＤから照射された光がその指向性に応じた照射方向を照らし、ＬＥＤ照明として機能する。ここでは、照明用ＬＥＤから照射される光は照明用基板１１の法線方向において照度が最大になるものとし、その方向を照射方向と呼ぶものとする。
【００１４】
この照明用基板１１を人の視線に対し傾けて設置すると、図４に示すように見える。この図４の例では、照明用ＬＥＤ１２の照射方向から約６０度傾いた視線により見た状態を示している。この視線で見ると、図３に示した点灯パターンから「３６５」という数字を認識することができる。
【００１５】
つまり、照明用ＬＥＤ１２が照射方向を照らすことによって照明機能を提供すると同時に、その照射方向から傾いた視線に対し文字、図形または記号等の模様を表示することができる。
【００１６】
本実施形態で「３６５」という数字を表示したのは一例であって、表示する模様は任意であり、表示したい模様に合わせて、予め各照明用ＬＥＤの配置と点灯パターンとを最適化すればよい。
【００１７】
例えば、複数の照明用ＬＥＤを点状光源としてマトリクスに配置すれば、ＬＥＤ照明に本来の照明機能を持たせると同時に、その照射方向から傾いた視線に対して電光掲示板の機能を提供することも可能である。この場合、駆動制御部２０が、点灯パターンの変更、点滅およびスクロール等の表示制御を実行すればよい。
【図１】
2012018850.tif 000003
【図２】
2012018850.tif 000004
【図３】
2012018850.tif 000005
【図４】
2012018850.tif 000006